【手続補正書】
【提出日】平成20年8月12日(2008.8.12)
【手続補正１】
【補正対象書類名】特許請求の範囲
【補正対象項目名】全文
【補正方法】変更
【補正の内容】
【特許請求の範囲】
【請求項１】
表示領域に２次元配列され、行方向に赤（Ｒ)、緑（Ｇ)、青（Ｂ)用の画素が繰り返し配列された画素群と、
前記画素群の各行に配線された走査線群と、
前記走査線群の各走査線を走査期間単位で選択するゲートドライブ回路と、
前記画素群の各列に配線された信号線群と、
前記信号線群に走査期間単位で信号を出力し、且つ対応する前記赤（Ｒ)、緑（Ｇ)、青（Ｂ)用の画素に供給するソースドライブ回路と、
を有した平面型表示装置において、
赤（Ｒ）,緑（Ｇ）,青（Ｂ）の入力映像信号のいずれか1つの入力映像信号を基準の第1の色信号とし、他の２つの入力映像信号を第２と第３の色信号とし、前記第２の色信号の時間的にずれた複数のサンプルにそれぞれ係数を掛けて合成して第１の補間色信号を生成し、前記第３の色信号の時間的にずれた複数のサンプルにそれぞれ係数を掛けて合成して第２の補間色信号を生成する色信号補間回路と、
前記色信号補間回路から得られた第1の色信号、第１の補間色信号、第２の補間色信号を前記ソースドライブ回路に供給する信号出力回路と
を具備した平面型表示装置。
【請求項２】
色信号補間回路は、前記緑（Ｇ）映像信号を前記第1の色信号として処理する請求項１記載の平面型表示装置。
【請求項３】
色信号補間回路における、第２の色信号の時間的にずれた複数のサンプルと前記第３の色信号の時間的にずれた複数のサンプルとは、それぞれ、前記入力映像信号のサンプル周波数と同じサンプル周波数上でサンプルされたものである請求項２記載の平面型表示装置。
【請求項４】
色信号補間回路は、
前記第1の色信号、第２の色信号、第３の色信号のそれぞれに対してそれぞれサンプル間に２つの０挿入を行う０挿入回路と、
０挿入が行われたそれぞれの色信号にそれぞれ重み付けが異なるフィルタリングを行うフィルタ回路と、
各フィルタリングされた出力をそれぞれ、所望の位相でサンプルして抽出するサンプリング回路と、
を有する請求項２記載の平面型表示装置。
【請求項５】
前記信号出力回路は、この信号出力回路の状態により、前記赤（Ｒ）,緑（Ｇ）,青（Ｂ）の入力映像信号を直接的に前記ソースドライブ回路に供給する
請求項１記載の平面型表示装置。
【請求項６】
前記信号出力回路には、入力選択切換え端子が設けられている請求項５記載の平面型表示装置。
【請求項７】
前記第１の色信号に対してさらにフィルタ処理を行うフィルタ回路を有する請求項１記載の平面型表示装置。
【請求項８】
前記Ｒ，Ｇ，Ｂの入力映像信号の各サンプルの間に２つの補間サンプルを得るために、Ｇｎ信号を位相の中心とし，ｎを整数として、
Ｇｎより１クロック遅れた位相の位置に
Ｒｎａ＝（２／３）×Ｒｎ＋（１／３）Ｒ（ｎ＋１）
Ｇｎａ＝（２／３）×Ｇｎ＋（１／３）Ｇ（ｎ＋１）
Ｂｎａ＝（２／３）×Ｂｎ＋（１／３）Ｂ（ｎ＋１）
の演算出力を得る手段と、
Ｇｎより１クロック進んだ位相の位置に、
Ｒ（ｎ−１）ｂ＝（１／３）Ｒ（ｎ−１）＋（２／３）Ｒｎ
Ｇ（ｎ−１）ｂ＝（１／３）Ｇ（ｎ−１）＋（２／３）Ｇｎ
Ｂ（ｎ−１）ｂ＝（１／３）Ｂ（ｎ−１）＋（２／３）Ｂｎ
の演算出力を得る手段と、
Ｇｎの位相位置に
Ｇｎ  ＝Ｇｎ
を得る手段を少なくとも具備した請求項１記載の平面型表示装置。
【請求項９】
上記のＧｎの位相の信号に対して、さらに
（１／４）Ｇｎｂ＋（１／２）Ｇｎ＋（１／４）Ｇｂのフィルタリング処理を行い、
（（１０×Ｇｎ＋Ｇ（ｎ−１）＋Ｇ（ｎ＋１））／１２）の演算出力を得る請求項８記載の平面型表示装置。
【請求項１０】
前記フィルタ回路は、０挿入された色信号を順次遅延し、位相が異なる７つの出力信号を得る少なくとも６つの遅延素子を有し、
Ｇｎ信号を位相の中心とし，ｎを整数として、
Ｇｎ信号の１クロック前の位相のＢ（ｎ−１）ｂ信号を、
Ｂ（ｎ−１）ｂ＝（４×Ｂ（ｎ−１）＋８×Ｂ（ｎ））／１２の演算処理で求め、
Ｇｎ信号の１クロック後の位相のＲｎａ信号を、
Ｒｎａ＝（８×Ｒｎ＋４×Ｒ（ｎ＋１））／１２の演算処理で求め、
Ｇｎ信号を、
Ｇｎ＝（１０×Ｇｎ＋Ｇ（ｎ−１）＋Ｇ（ｎ＋１））／１２の演算処理で求める請求項４記載の平面型表示装置。
【手続補正２】
【補正対象書類名】明細書
【補正対象項目名】００１６
【補正方法】変更
【補正の内容】
【００１６】
出力選択回路２１４には、画素配列に対応した入力映像信号Ｒ,Ｇ,Ｂが遅延回路２１６等を介して入力することも可能である。この系統は、表示領域のカラー画素配列に対応した入力映像信号が入力された場合を考慮して、融通性を得るために設けている。遅延回路２１６を介して入力された入力映像信号Ｒ，Ｇ，Ｂは、シリーズ変換器２１６−１を介して、出力選択回路２１４に入力される。
【手続補正３】
【補正対象書類名】明細書
【補正対象項目名】００１７
【補正方法】変更
【補正の内容】
【００１７】
出力選択回路２１４は、シリーズ変換器２１６−１からの信号、あるいは信号選択回路２１３からの出力信号のいずれか一方を選択して、ソースドライブ回路１３０に供給する。端子２１５に与えられる選択信号は、ユーザが必要に応じて入力するようにしてもよいし、また、自動的に入力されるようにしてもよい。自動の場合は、入力映像信号が画素対応タイプのものかどうかを判別する回路が設けられる。
【手続補正４】
【補正対象書類名】明細書
【補正対象項目名】００２３
【補正方法】変更
【補正の内容】
【００２３】
そこで、なんらかの形でＲ信号、Ｂ信号の補正が必要となる。図２（Ｂ)は、その補正を行う回路であり、この回路が、図１の補間回路２１２の基本構成である。Ｒ信号は、遅延素子Ｄ11、Ｄ12の直列回路に入力され、Ｇ信号は遅延素子Ｄ21,Ｄ22の直列回路に入力され、Ｂ信号は遅延素子Ｄ31,Ｄ32の直列回路に入力される。遅延素子Ｄ12の入力側と出力側のＲ信号は、それぞれ1/3係数器２１、2/3係数器２２に入力されて利得制御され、加算器２５で加算され、Ｒ'信号となる。遅延素子Ｄ32の入力側と出力側のＢ信号は、それぞれ2/3係数器２３、1/3係数器２４に入力されて利得制御され、加算器２６で加算され、Ｂ'信号となる。Ｇ信号は、遅延素子Ｄ21,Ｄ22の直列回路からそのまま出力される。
【手続補正５】
【補正対象書類名】明細書
【補正対象項目名】００３５
【補正方法】変更
【補正の内容】
【００３５】
図３の例は、左から右にスキャンが行われ、Ｂ、Ｇ、Ｒの順序で画素が配列されている例を示した。しかし右から左にスキャンが行われる場合もある。このときは、Ｒ、Ｇ、Ｂの画素配置となる。この場合は、図７に示すような演算が各画素に施されることになる。
【手続補正６】
【補正対象書類名】明細書
【補正対象項目名】００４４
【補正方法】変更
【補正の内容】
【００４４】
図９を参照して、Ｒ，Ｇ，Ｂ信号が線形補間される際の状態を説明する。図９には、上段に入力信号を示し、下段に補間信号を示している。３色同時入力信号（Ｒ０，Ｇ０，Ｂ０）、（Ｒ１，Ｇ１，Ｂ１）、（Ｒ２，Ｇ２，Ｂ２）、……、は、それぞれの色信号が、下段に示すように、３倍の周波数のサンプル信号に変換される。即ちＲ信号は、時間方向へ、Ｒ０，Ｒ０ａ，Ｒ０ｂ，Ｒ１，Ｒ１ａ，Ｒ１ｂ，Ｒ２，Ｒ２ａ，Ｒ２ｂ，…と変換され、Ｇ信号は、時間方向へ、Ｇ０，Ｇ０ａ，Ｇ０ｂ，Ｇ１，Ｇ１ａ，Ｇ１ｂ，Ｇ２，Ｇ２ａ，Ｇ２ｂ，…と変換され、Ｂ信号は、時間方向へ、Ｂ０，Ｂ０ａ，Ｂ０ｂ，Ｂ１，Ｂ１ａ，Ｂ１ｂ，Ｂ２，Ｂ２ａ，Ｂ２ｂ，…と変換される。ここで、図の点線で囲む位置のＲ，Ｇ，Ｂ信号は、それぞれ、
Ｒｎａ＝（２×Ｒｎ＋Ｒ（ｎ＋１））／３
Ｇｎａ＝（２×Ｇｎ＋Ｇ（ｎ＋１））／３
Ｂｎａ＝（２×Ｂｎ＋Ｂ（ｎ＋１））／３
Ｒｎｂ＝（Ｒｎ＋２×Ｒ（ｎ＋１））／３
Ｇｎｂ＝（Ｇｎ＋２×Ｇ（ｎ＋１））／３
Ｂｎｂ＝（Ｂｎ＋２×Ｂ（ｎ＋１））／３
と表される。第１の実施の形態では、図３で示したように、
Ｒ’０＝（２×Ｒ０＋Ｒ（０＋１））／３
Ｇ’０＝Ｇ０
Ｂ’０＝（Ｂ０＋２×Ｂ（０＋１））／３
Ｒ’１＝（２×Ｒ１＋Ｒ（１＋１））／３
Ｇ’１＝Ｇ１
Ｂ’１＝（Ｂ１＋２×Ｂ（１＋１））／３
Ｒ’２＝（２×Ｒ２＋Ｒ（２＋１））／３
Ｇ’２＝Ｇ２
Ｂ’２＝（Ｂ２＋２×Ｂ（２＋１））／３
のように、選択された。したがって、Ｇ信号に関しては高域成分がそのまま維持されている。
【手続補正７】
【補正対象書類名】明細書
【補正対象項目名】００６１
【補正方法】変更
【補正の内容】
【００６１】
図１４には、図１で示した構成のさらにまた他の実施の形態を示している。図１に示した回路構成と同一部分には、同一符号を付して説明は省略する。図１で用いた信号選択回路２１３、シリーズ変換器２１６−１を必要としない構成である。
【手続補正８】
【補正対象書類名】明細書
【補正対象項目名】００７３
【補正方法】変更
【補正の内容】
【００７３】
図１１で示した回路は、最終的に出力するＲＧＢ信号がシリーズに変換された。しかし、図１８の実施の形態では、最終的に出力するＲＧＢ信号が並列である。位相調整機能付きサンプリング回路５０は、ＲＧＢ信号を並列に出力するために、各信号の位相調整を行なう回路である。他の部分は、図１１と同じ構成であるから、図１１と同一部分には、同一符号を付して説明は省略する。
【手続補正９】
【補正対象書類名】図面
【補正対象項目名】図１
【補正方法】変更
【補正の内容】
【図１】
2006126795.tif 000001
【手続補正１０】
【補正対象書類名】図面
【補正対象項目名】図３
【補正方法】変更
【補正の内容】
【図３】
2006126795.tif 000002
【手続補正１１】
【補正対象書類名】図面
【補正対象項目名】図６
【補正方法】変更
【補正の内容】
【図６】
2006126795.tif 000003
【手続補正１２】
【補正対象書類名】図面
【補正対象項目名】図７
【補正方法】変更
【補正の内容】
【図７】
2006126795.tif 000004
【手続補正１３】
【補正対象書類名】図面
【補正対象項目名】図１０
【補正方法】変更
【補正の内容】
【図１０】
2006126795.tif 000005
【手続補正１４】
【補正対象書類名】図面
【補正対象項目名】図１３
【補正方法】変更
【補正の内容】
【図１３】
2006126795.tif 000006
【手続補正１５】
【補正対象書類名】図面
【補正対象項目名】図１５
【補正方法】変更
【補正の内容】
【図１５】
2006126795.tif 000007
【手続補正１６】
【補正対象書類名】図面
【補正対象項目名】図１６
【補正方法】変更
【補正の内容】
【図１６】
2006126795.tif 000008